(57)【要約】【課題】形成が容易で、軽量であるにもかかわらず長期の使用や風荷重に耐えうる強度を有する発光情報表示板を提供する。【解決手段】中空枠材１１に設けられた発光部取付部３を用いて発光部２を取り付け、また金具取付部８を用いて発光表示部１０を取付金具２０に取り付けることができるので、その形成は容易なものとなる。また発光部取付部３と金具取付部８が備えられた中空枠材１１が断面ボックス形状となされていることで、枠体は高い強度を保持しつつ軽量なものとなり得る。【参照図】        図４【特許請求の範囲】
【請求項１】
支柱に取付金具を介して矩形の発光表示部を取り付けた情報表示板であって、前記矩形の発光表示部は上下横枠材と左右縦枠材とで枠組みされた枠体に、発光体が基板に配設された発光部が取り付けられて形成され、前記上下横枠材と前記左右縦枠材の少なくともいずれかが、断面がボックス形状の中空枠材となされ、該中空枠材には前記発光部を取り付ける発光部取付部と、前記取付金具を取着する金具取付部とが一体に設けられていることを特徴とする発光情報表示板。
【請求項２】
前記中空枠材は、更に前面板取付部が一体に設けられ、該前面板取付部により発光部の前面側に透光性の前面板が取り付けられたものであることを特徴とする請求項１に記載の発光情報表示板。
【請求項３】
前記前面板及び前記発光部は、ビス止めされたものであって、該ビスの頭部は背面側から行われたものであることを特徴とする請求項２に記載の発光情報表示板。
【請求項４】
前記前面板は、端部にビス孔が穿設され、該ビス孔に筒状のスペーサーが挿通されると共に、該スペーサーにビスが挿通され、該ビスが前記前面板取付部に螺着されて中空枠材に取り付けられていることを特徴とする請求項２又は３に記載の発光情報表示板。
【請求項５】
前記発光部は、発光部取付部材を介して中空枠体に取り付けられ、該発光部取付部材は板状部が設けられ、該板状部と前記前面板取付部との間に前記前面板が挟まれて取り付けられることを特徴とする請求項２〜４のいずれかに記載の発光情報表示板。
【請求項６】
前面側に開口部が設けられた筐体と、本発明請求項１〜５のいずれかに記載の発光情報表示板とを備え、前記筐体には発光情報表示板の情報表示に係わる表示用機器が収納され、前記発光情報表示板は前記開口部を開閉自在に閉塞するようになされ、前記開口部が開放されることで、前記表示用機器及び前記発光情報表示板のメンテナンスが可能となされていることを特徴とする情報表示装置。
【請求項７】
前記筐体は、取付金具を用いて支柱に取り付けられ、前記発光情報表示板は前記筐体に扉状に開閉するようになされていることを特徴とする請求項６に記載の情報表示装置。
【発明の詳細な説明】
【技術分野】
【０００１】
本発明は、道路周辺に設置され、発光により道路利用者に情報を伝達する発光情報表示板及び情報表示装置に関するものである。
【背景技術】
【０００２】
前面側に表示部を設けた内照式の情報表示板や、ＬＥＤ等の発光体をドット状に配置した情報表示板は極一般的に用いられてきており、それらに係わる発明は種々のものが開示されてきている。例えば特許文献１には、平板状の外枠本体とその前面に表示板を取り付けるための上向きに曲げられた取付片と、該取付片の裏側で長さ調整補強材を取り付けるための略Ｃ字状の補強材取付部と、前記外枠本体の後面に裏板を取り付けるための裏板取付補強板と、該裏板取付補強板の外枠本体の付け根の後面に前記依頼他を固定させるための差込部とが、一体的に形成された内部照明型標識の外枠とそれを用いた内部照明型標識が開示されている。
【０００３】
また特許文献２には、開口を介して前方に開放する収容部に表示装置を収容する収容ケースと、開口を覆う透光性のパネルと、パネルの前面の周縁に当接してパネルを収容ケースに取り付けるための環状のパネル枠と、パネルの後面と収容ケースの開口縁部との間に挟持される環状のシールとを備えた標識装置が開示されている。
【０００４】
【特許文献１】特開平８−１００４１３号公報
【特許文献２】特開２００２−２４２１３３号公報
【発明の開示】
【発明が解決しようとする課題】
【０００５】
しかしながら、特許文献１に記載されている如き外枠は平板状のものであり、発光表示部の形成に用いられる際に、一方が極端に長くなったり、片持ち状となされたものに用いられると、曲げ強度が不足し長期の使用や風荷重により変形する恐れがある。また特許文献２に記載の如きパネル枠も、断面Ｌ字状であるが風荷重等に対して強度を高めようとするとパネル枠自体の重量が大きくなり、支柱の基礎や取付部への負担が増大する恐れがあった。
【０００６】
本発明は上記の如き課題に鑑みてなされたものであり、形成が容易で、軽量にもかかわらず長期の使用や風荷重に耐えうる強度を有する発光情報表示板及び情報表示装置を提供せんとするものである。
【課題を解決するための手段】
【０００７】
上記課題を解決するため、本発明は以下のような構成としている。すなわち、本発明に係わる発光情報表示板は、支柱に取付金具を介して矩形の発光表示部を取り付けた情報表示板であって、前記矩形の発光表示部は上下横枠材と左右縦枠材とで枠組みされた枠体に、発光体が基板に配設された発光部が取り付けられて形成され、前記上下横枠材と前記左右縦枠材の少なくともいずれかが、断面がボックス形状の中空枠材となされ、該中空枠材には前記発光部を取り付ける発光部取付部と、前記取付金具を取着する金具取付部とが一体に設けられていることを特徴とするものである。
【０００８】
また前記中空枠材は、更に前面板取付部が一体に設けられ、該前面板取付部により発光部の前面側に透光性の前面板が取り付けられたものであることを特徴とするものである。
【０００９】
また前記前面板及び前記発光部は、ビス止めされたものであって、該ビスの頭部は背面側から行われたものであることを特徴とするものである。
【００１０】
また前記前面板は、端部にビス孔が穿設され、該ビス孔に筒状のスペーサーが挿通されると共に、該スペーサーにビスが挿通され、該ビスが前記前面板取付部に螺着されて中空枠材に取り付けられていることを特徴とするものである。
【００１１】
また前記発光部は、発光部取付部材を介して中空枠体に取り付けられ、該発光部取付部材は板状部が設けられ、該板状部と前記前面板取付部との間に前記前面板が挟まれて取り付けられることを特徴とするものである。
【００１２】
また本発明に係わる情報表示装置は、前面側に開口部が設けられた筐体と、本発明請求項１〜５のいずれかに記載の発光情報表示板とを備え、前記筐体には発光情報表示板の情報表示に係わる表示用機器が収納され、前記発光情報表示板は前記開口部を開閉自在に閉塞するようになされ、前記開口部が開放されることで、前記表示用機器及び前記発光情報表示板のメンテナンスが可能となされていることを特徴とするものである。
【００１３】
また前記筐体は、取付金具を用いて支柱に取り付けられ、前記発光情報表示板は前記筐体に扉状に開閉するようになされていることを特徴とするものである。
【発明の効果】
【００１４】
請求項１に記載の本発明に係わる発光情報表示板によれば、中空枠材に設けられた発光部取付部を用いて発光部を取り付け、また金具取付部を用いて発光表示部を取付金具に取り付けることができるので、その形成は容易なものとなるが、発光部取付部と金具取付部が備えられた上下横枠材と左右縦枠材のいずれか少なくとも一方が断面ボックス形状の中空枠材となされていることで、枠材の強度が高められると共に、ボックス形状であるから枠体は軽量なものとなり得る。また中空枠材に発光部取付部や金具取付部が一体に設けられていることで、これら発光部取付部や金具取付部を別部材として取り付ける必要がなく、上下横枠材と左右縦枠材を枠組みして発光部を取り付けて発光表示部を形成し、金具取付部を用いて取付金具に取着するのみで発光情報表示板は形成することができ、形成に係わる手間や時間も少なくすることができる。
【００１５】
また請求項２の発明によれば、発光部の保護や発光部からの光を利用して描画された情報を表示する透光性の前面板を設けるにおいて、予め前面板取付部を設けておくことで前面板の取り付けが容易且つ強固なものとなり、また枠材に一体に成形されているので、別部材として前面板取付部を取り付ける必要がなく、形成に係わる手間や材料をほとんど要することがなく好ましい。
【００１６】
また請求項３の発明によれば、背面側からビス止めが行われることで、外観上目立つと見苦しいビスの頭部が目立つことがなくなり、美観を向上させることができ好ましい。
【００１７】
また請求項４の発明によれば、スペーサーによりビスの頭部と前面板取付部との間隔が保たれ、前面板がビスの頭部に押しつけられることで前面板が変形されることによる光の透過への悪影響を防止でき好ましい。
【００１８】
また請求項５の発明によれば、前面板が発光部取付部材に設けられた板状部により挟まれて取り付けられることで、貫通孔やビス等のみにより取り付けられる場合より強固に固定でき、且つ応力集中による割れや破損の恐れを小さくでき、更にまた発光部取付部材が前面板の固定と発光部の取り付けを兼ねるものとして取り付けに係わる手間や部材を節減でき好ましい。
【００１９】
また請求項６に記載の本発明に係わる情報表示装置によれば、筐体の開口部を発光情報表示板により閉塞していることで形成は容易となり、また本発明請求項１〜５のいずれかに記載の発光情報表示板を開口部の閉塞に用いることで、軽量にもかかわらず長期の使用や風荷重に耐えうる強度を有し、更には開口部を開放して表示用機器と発光情報表示板とのメンテナンスが可能となされていることで、故障発生時の対応が容易となり、より長期の使用が可能となり得る。
【００２０】
また請求項７の発明によれば、軽量で且つ高い強度を有する発光情報表示板が扉状に開閉することで、開口部を開放した状態で発光情報表示板を支持する筐体や回動機構等の強度を高める度合いを小さくでき、用いる材料を少なくできると共に耐久性の高められた開閉構造とすることができ好ましく、また発光情報表示板が扉状に開閉することでメンテナンスが迅速且つ容易なものとなり好ましい。
【発明を実施するための最良の形態】
【００２１】
本発明に係わる最良の実施の形態について、図面に基づき以下に具体的に説明する。
図１は、本発明に係わる実施の一形態の、発光情報表示板の形成を示す説明図である。矩形の枠体１の長手方向を形成する左右縦枠材は断面ボックス形状の中空枠材１１となされ、左右縦枠材である中空枠材１１と上下横枠材１２とが溶接により固着されることで枠体１は矩形に枠組みされる。中空枠材１１及び上下横枠材１２には、いずれもアルミニウム押出形材が用いられている。中空枠材１１には枠体１の内側に向けて突設され、板状でビス孔３１が穿設された発光部取付部３が一体に設けられ、発光部２はその発光部取付部３に取り付けられる。発光部２は、基板２１にＬＥＤによる発光体２２がドットマトリックス状に配置されて発光体２２の発光により「凍結注意」の文字と現気温の表示が行われるものである。
【００２２】
枠体１の背面側には、ビス孔４１が穿設された背面板４がビス孔４１を用いてビス止めにより取着され、更に取付金具を取り付けるボルトの頭部又はナットが摺動可能に挿入される蟻溝状の取付溝５１が設けられた取付アングル５が、ボルト孔５２を用いて背面板４にボルト止めされることで、取付アングル５が背面板４を介して枠体１に取り付けられる。
【００２３】
更に図２に示す如く、枠体１の発光部２の前面側に透光性の前面板６が穿設されたビス孔６１を用いて取り付けられて発光表示部１０が形成される。透光性の前面板６はポリカーボネート樹脂からなる無色透明なもので、発光部２への雨水や塵埃等の到達を防止するもので、発光部２による情報に係わる光をそのまま外部に放出するものであるが、着色透明なものを用いて発せられる光を着色したり、ＬＥＤの発光色と合わせて着色された光を放出するようにしたり、更には前面板６に情報を描画して、発光部２からの光により情報を表示するものとしてもよい。また外面に撥水層や超親水性層を設けて雨滴による情報の歪みや着雪等を防止してもよく、またセルフクリーン機能を付加すべく光触媒含有層やフッ素系の低汚染性塗膜層などを設けてもよい。
【００２４】
形成された発光表示部１０は、図３に示す如く、取付金具２０を用いて支柱３０に取り付けられて発光情報表示板となされる。取付金具２０は半円状の支柱嵌着部２０１が中央に設けられ、その両脇に取付用のボルト孔２０２が穿設されている。発光表示部１０に取着された取付アングル５の取付溝５１にボルトＢ１の頭部が左右に摺動可能に挿入され、ボルト締めの際にボルト孔２０２との位置合わせが容易となるようになされている。更にボルトＢ１は取付金具２０のボルト孔２０２に挿通され、円弧状の支柱嵌着部２０１に支柱３０が嵌着された状態でナットＮ１が螺着されてボルト締めがなされることで発光表示部１０は支柱３０に取り付けられる。
【００２５】
図４は、発光表示部１０が支柱３０に取り付けられた状態での、図３のＡ−Ａ断面を示す断面図である。支柱３０に取り付けられる取付金具２０は取付アングル５の取付溝５１に挿入されたボルトＢ１により行われるが、取付アングル５は背面板４にボルトＢ２によりボルト止めされ、更に背面板４は中空枠材１１にビスＢ３によりビス止めされている。中空枠材１１のビスＢ３が螺着される部位は、螺着後の強度を高めるために厚みを大きくした金具取付部８となされ、取付金具２０は取付アングル５及び背面板４を介して金具取付部８に取着されている。また発光部２は上述の如く枠体１の内側に向かって突出された発光部取付部３にビスＢ４によりビス止めされ、更に前面板６がＬアングル６２を用いてビスＢ５により中空枠材１１にビス止めされている。
【００２６】
ここで、中空枠材１１のビスＢ４及びＢ５が螺着される部位は、ビスＢ３の場合と同様に厚みが大きくされて発光部取付部３及び前面板取付部９となされているが、ビスＢ５が螺着される際には前面板６の厚みより長いステンレス製の筒状のスペーサー７が装着され、ビスＢ５の螺着時に前面板６の端部が締め付けられないようになされている。
【００２７】
図５は、図４に示した中空枠材１１の詳細を示す断面図である。中空枠材１１は、中空部１１１が形成されて断面ボックス形状となされることで、軽量にも係わらず強度の高い枠材を得ることができる。中空枠材１１には発光部取付部３、金具取付部８、前面板取付部９に加え、Ｌ字アングルを取り付けるアングル取付溝６３が一体に設けられているが、中空枠材１１にアルミニウム押出形材を用いることで、枠材を軽量とするのみならず、上記の取付部等を備える複雑な断面形状を成形時において連続的に同時に設けることができ、発光表示部１０の形成に係わる手間や時間を大幅に低減することができる。
【００２８】
図６は、本発明に係わる発光情報表示板の第二の実施形態を示すもので、図４に示したＡ−Ａ断面図と同視点からの断面図である。支柱３０、取付金具２０、取付アングル５及び背面板４は、図４に示した実施形態と同様のものであるが、発光部２が、発光部取付部材Ｔを介して中空枠材１１に取り付けられ、発光部取付部材Ｔには板状部Ｔ１が設けられ、板状部Ｔ１と中空枠材１１の前面板取付部９との間に前面板６の端部が挟まれて取り付けられたものである。また前面板６及び発光部２は、それぞれビスＢ５及びＢ４によりビス止めされて固定されているが、これらのビス止めは背面側から行われることによりビスの頭部が背面側にくるようになされている。
【００２９】
図６に示す発光表示部１０について、ビス止めを背面側から行うには、まず中空枠材１１と上下横枠材（図示せず）とを枠組みして枠体１を形成し、中空枠材１１に設けられた前面板取付部９に、発光部取付部材Ｔ１を用いて板状部Ｔ１と前面板取付部９との間に前面板６の端部を挟み込んで、前面板６に穿設されたビス孔６１に挿通させたビスＢ５を前面板取付部９に螺着することで、前面板６を中空枠材１１に取り付ける。次に前面板取付部９にビス止めされた発光部取付部材Ｔに基板２１がビスＢ４によりビス止めされることで、中空枠材１１に発光部２が取り付けられる。更に背面板４が、中空枠材１１の金具取付部８にビスＢ３によりビス止めされることで、用いられるビスは全て背面側からビス止めでき、前面側からビスの頭部が見えることがなく意匠性を高めることができる。また取付アングル５や取付金具２０のボルト止めに用いられるボルトＢ２やＢ１の頭部などは背面板４により隠されて前面側からは見えず、意匠性に影響を及ぼすことがない。
【００３０】
図７は、図６の実施形態に用いられている部材の詳細を示す断面図で、イ）は発光部取付部材Ｔ、ロ）は中空枠材１１である。発光部取付部材Ｔは、断面クランク状となされており、板状部Ｔ１と発光部２の基板が取り付けられる基板取付部Ｔ２とが一体に設けられ、それぞれビス孔Ｔ３、Ｔ４が穿設されて前面板６、発光部２がビス止めされる。板状部Ｔ１と基板取付部Ｔ２とは互い違いに設けられ、基板２１と前面板６との間に発光体２２が位置するスペースを確保している。
【００３１】
中空枠材１１は、断面ボックス形状で中空部１１１Ａが設けられることで、軽量にも係わらず高い強度を保持することができるが、更に前面板取付部９及びそのビス孔９１の前面側に壁面１１３が設けられて中空部１１１Ｂが設けられていることで、更に強度を高められていると共に、壁面１１３により前面板６をビス止めしているビスＢ５の先端をも前面側から隠すことができ、意匠性の向上に貢献している。また中空枠材１１の側面には、ローレット模様１１２が施されることで意匠性が高められている。これらの中空部１１１Ａ、１１１Ｂ、ローレット模様１１２等の複雑な断面形状を形成するにおいても、中空枠材１１にアルミニウム押出形材を用いることで容易に形成が可能であり、且つ高い強度を保持しつつ軽量化を図ることができ好ましい。
【００３２】
図８及び図９は、本発明に係わる情報表示装置の実施の一形態を示すもので、図８のイ）は発光情報表示板が筐体の開口部を閉塞している状態、ロ）は開口部が開放された状態を示す説明図である。まずイ）において、情報表示装置１００は、鋼鉄製の筐体４０の前面側に、図６に示した発光情報表示板１０が配置され、筐体４０と発光情報表示板１０との間の一方の側面にピポットヒンジからなる回動機構５０が取り付けられている。支柱３０への取り付けを行う取付アングル５は、筐体４０の背面に取り付けられている。
【００３３】
次にロ）において、筐体４０に対して発光情報表示板１０は、回動機構５０により矢印Ｙ１方向に自在に回動するようになされることで、左開きの扉状となされている。扉状の発光情報表示板１０が開かれることで、筐体４０の前面の開口部４０１が開放されて、筐体４０内に収納された発光に係わる制御器や電源装置、蓄電池等の表示用機器６０や冷却用ファンＦが顕わにされ、定期の点検や故障時の修理といったメンテナンスを容易に行えるようになされている。同時に、発光部２の基板２１の背面も顕わにされ、発光部２のメンテナンスも行うことができる。開口部４０１は、筺状の筐体４０の前面側が折り曲げ加工されて平面が形成されていることで、閉塞時の発光情報表示板１０との密着が高まるようになされている。また開口部４０１が閉塞された状態では、回動機構５０と逆側の側面に設けられたワンタッチ式の閉鎖鍵Ｊにより閉塞状態が保持されるようになされている。
【００３４】
かかる発光情報表示板１０を開いて開口部４０１を開放状態にすることで、回動機構５０や筐体４０及び発光情報表示板１０の回動機構５０の取付部分付近に発光情報表示板１０の重量による多大な負荷がかかるが、本発明に係わる発光情報表示板１０は枠体としてアルミニウム押出形材を用いることで、従来の鋼鉄製のものと較べ格段に軽量化が図られており、開口部４０１の開放状態における回動機構５０や筐体４０の回動機構５０の取付部分付近の負荷の軽減に繋げることができる。
【００３５】
図９は、図８のイ）におけるＢ−Ｂ断面を示す断面図である。図６に示した発光情報表示板１０とは、背面板４に替えて筐体４０の折り返し部分が中空枠材１１の背面側に配置され、筐体４０と中空枠材１１との間にはパッキンＰが挟み込まれて密閉性が高められている。筐体４０の背面側の背面板４には、表示用機器６０と共にボルトＢ２を用いて取付アングル５が取り付けられ、取付アングル５及び取付金具２０を介して情報表示装置１００は支柱３０に取り付けられる。発光情報表示板１０の背面側に筐体４０が設けられることで、発光部２による情報の表示が多種多様で情報表示に係わる大型の機器が必要となる場合や、高輝度が必要となり大型の電源装置が必要となる場合等、発光部２の背後に比較的大きいスペースが必要となった場合にその収納スペースを確保することができる。また発光情報表示板１０が扉状となって開閉自在となされることで、メンテナンス時には閉鎖鍵Ｊを外して発光情報表示板１０を回動させることで開口部４０１を開放してメンテナンスを行い、メンテナンス終了後は再び発光情報表示板１０を回動させて開口部４０１を閉塞し、閉鎖鍵Ｊをかけることで復旧することができ、メンテナンスは容易且つ迅速なものとなり得る。
【００３６】
扉状に回動する発光情報表示板１０は、上述の如き左右扉状に限定されず、上下扉状としてもよく、設置場所におけるメンテナンスの行い易さ等を考慮して任意の方向に回動するようにすることができる。
【図面の簡単な説明】
【００３７】
【図１】本発明に係わる発光表示部の形成の、実施の一形態を示す説明図である。
【図２】本発明に係わる発光表示部の形成の、実施の一形態を示す説明図である。
【図３】本発明に係わる発光情報表示板の形成の、実施の一形態を示す説明図である。
【図４】図３のＡ−Ａ断面図である。
【図５】図４に示した中空枠材の詳細を示す断面図である。
【図６】本発明に係わる発光情報表示板の、他の実施形態を示す断面図である。
【図７】図６に示した発光部取付部材及び中空枠材の詳細を示す断面図である。
【図８】本発明に係わる情報表示装置の、実施の一形態を示す説明図である。
【図９】図８のＢ−Ｂ断面図である。
【符号の説明】
【００３８】
１    枠体
１１  中空枠材
１１１  中空部
２    発光部
２１  基板
２２  発光体
３    発光部取付部
４    背面板
５    取付アングル
５１  取付溝
６    前面板
７    スペーサー
８    金具取付部
９    前面板取付部
１０  発光表示部
２０  取付金具
３０  支柱
４０  筐体
４０１  開口部
５０  回動機構
６０  表示用機器
１００  情報表示装置
Ｔ    発光部取付部材
Ｔ１  板状部
【図１】
2005098077.tif 000002
【図２】
2005098077.tif 000003
【図３】
2005098077.tif 000004
【図４】
2005098077.tif 000005
【図５】
2005098077.tif 000006
【図６】
2005098077.tif 000007
【図７】
2005098077.tif 000008
【図８】
2005098077.tif 000009
【図９】
2005098077.tif 000010